(57)【要約】      （修正有）【課題】コンクリート製の側壁を備えた鋼製のタンクの該側壁より上部に突出する前記タンクの内槽の上部を飛来物から防護するタンク用屋根防護構造である。【解決手段】コンクリート製の側壁３ｂを備えた鋼製のタンク１の内槽の底板４ａ中心に立設し、該底板４ａ上面から屋根板６上方までの高さを有する支柱１１と、前記側壁３ｂの上部の同一円周ほぼ等間隔に離隔して取付ける複数の索条取付部材８と、前記索条取付部材８から前記支柱１１の上部１２及び又は他の前記索条取付部材８間に亘り張設する複数本の索条１７と、前記索条１７、１７相互間に配設する衝撃吸収能力を有する防護面９ａとを備え、前記コンクリート製の側壁３ｂより上部に突出する前記鋼製の内槽の上部を飛来物から防護することを特徴とする。【選択図】図１
2020090800.tif 000002
【特許請求の範囲】
【請求項１】
コンクリート製の側壁を備えた鋼製のタンクにおいて、前記タンクの内槽の底板中心に立設し、該底板上面から屋根板上方までの高さを有する支柱と、前記側壁の上部の同一円周ほぼ等間隔に離隔して取付ける複数の索条取付部材と、前記索条取付部材から前記支柱の上部及び又は他の前記索条取付部材間に亘り張設する複数本の索条と、前記索条相互間に配設する衝撃吸収能力を有する防護面とを備え、前記コンクリート製の側壁より上部に突出する前記鋼製の内槽の上部を飛来物から防護することを特徴とするタンク用屋根防護構造。
【請求項２】
前記索条は、平面視が前記支柱を中心として放射状に張設する複数本の放射索条と、隣り合う前記放射索条相互間に張設する複数の副索条からなり、前記放射索条と前記副索条で囲まれる領域に衝撃吸収能力を有する防護面を備えたことを特徴とする請求項１に記載のタンク用屋根防護構造。
【請求項３】
前記索条は、平面視が縦横の格子状に張設する複数本の格子索条と、隣り合う前記格子索条相互間に張設する複数の副索条からなり、前記格子索条と前記副索条で格子状に囲まれる領域に衝撃吸収能力を有する防護面を備えたことを特徴とする請求項１に記載のタンク用屋根防護構造。
【請求項４】
前記索条は、タンク半径方向外方側に向けて下方に傾斜して取付けるか、或いはタンク半径方向外方側に向けて水平に取付けることを特徴とする請求項１ないし３のいずれかに記載のタンク用屋根防護構造。
【請求項５】
隣り合う前記索条取付部材相互間に水平に張設する複数本の外周索条と、平行して隣り合う前記外周索条相互間に連結する複数の副索条からなり、前記外周索条と前記副索条で囲まれる領域に衝撃吸収能力を有する防護面を備えたことを特徴とする請求項１ないし４のいずれかに記載のタンク用屋根防護構造。
【請求項６】
前記索条取付部材下部と前記側壁頂部との間に、圧縮復元性を有する緩衝部材を有することを特徴とする請求項１ないし５のいずれかに記載のタンク用屋根防護構造。
【請求項７】
前記防護面が金網であることを特徴とする請求項１ないし６のいずれかに記載のタンク用屋根防護構造。
【発明の詳細な説明】
【技術分野】
【０００１】
この発明は、コンクリート側壁を備えた鋼製タンク用の屋根防護構造に関するものである。
【背景技術】
【０００２】
重油などの危険物を貯蔵する固定屋根式の鋼製タンクを津波から防護する技術として、鋼製タンク自体の流出や津波漂流物の衝突による損傷を防止するために、鋼製タンク周囲にコンクリート側壁を備えたタンクの発明がなされている。
【０００３】
しかし、前記コンクリート側壁を備えた鋼製タンクの側板は前記コンクリート側壁によって防護されているが、該タンクの屋根を台風や竜巻等による不測の飛来物の衝突から防護する対策は考えられていない。
そのため、薄い鋼板で製作されている屋根板に前記飛来物が衝突した場合、該飛来物が屋根板を大きく破壊したり貫通したりして、爆発や火災等を引き起こす恐れがある。
【０００４】
ところで、タンクを飛来物の衝突から防護する下記の従来技術が開示されている。  
【０００５】
従来技術として、特許文献１の「飛来物防護設備」の発明がある。この発明には、保護対象物としての復水タンクの周囲を覆うように復水タンクから所定隙間を空けて地面に立設される側壁部と、復水タンクの上方を覆うように側壁部の上部に連結される上壁部と、側壁部における水平方向の振動を低減する振動低減機構とを設けた飛来物防護設備が開示されている。
【０００６】
特許文献２の「低温タンクの保護構造」の発明がある。この発明には、ＬＮＧ等の低温液化ガスタンクを貯蔵する低温タンクの外側に、所定の間隔を隔てて、飛来する物体を反射する反射板と該反射板を貫通した物体を緩衝して停止させる緩衝板とが積層された保護壁を設けた低温タンクの保護構造が開示されている。
【０００７】
特許文献３の「ＬＮＧ地下タンクの屋根構造およびその施工方法」の発明がある。この発明には、球形シェル構造の鋼製屋根を有した既設ＬＮＧ地下タンクの外周部にリングビーム基礎を設け、そのリングビーム基礎の上に前記鋼製屋根を覆うように新たに球形シェル構造のコンクリート屋根を架設したＬＮＧ地下タンクの屋根構造が開示されている。
【先行技術文献】
【特許文献】
【０００８】
【特許文献１】特開２０１６-１６４３５２号公報
【特許文献２】実開平３−３９６９９号公報
【特許文献３】特開平７−３４７１２号公報
【発明の概要】
【発明が解決しようとする課題】
【０００９】
コンクリート側壁を備えた固定屋根式の鋼製タンクを台風や竜巻等の自然現象による不測の飛来物の衝突から防護する場合、以下の課題がある。
（１）特許文献１において、タンクの全体を鉄骨構造の防護設備で囲い、金網等で覆う発明が開示されているが、前記コンクリート側壁を備えた固定屋根式のタンクに適用するには、多大なコストを要し、経済的ではない。そこで、前記コンクリート製の側壁を備えたタンクにおいては、該タンクの屋根のみを防護する構造を採用することが経済的である。
（２）また、特許文献２及び特許文献３において、鋼製タンクの屋根のみを防護するために、該屋根板上部に保護壁やコンクリート屋根を設ける発明が開示されているが、タンクの屋根重量が過大となって、屋根を支持する屋根骨の補強が必要になったり、屋根荷重が増すことでタンクの側板が座屈しないように、側板の板厚を大きくしたりする必要が生じ、コスト的にも課題であった。
そこで、屋根防護構造を軽量な素材で構成し、鋼製タンクに過大な荷重がかからないようにする構造が考えられるが、そのようなタンク用屋根防護構造の従来技術はなかった。
（３）さらに、重油等の危険物を貯蔵する固定屋根式の危険物タンクにおいては、火災等により貯槽内部の圧力が異常に昇圧した際に、側板上端部と屋根板外周縁の接合部が容易に破断して、タンク内圧力を開放し、危険物タンクの爆発的な破壊を防止する放爆構造を設けなければならない。そのため、危険物タンクの屋根を保護するために屋根板を厚くする方法やコンクリートで覆って補強する方法では、前記放爆性能を保持することができなくなる恐れがあった。
或いは、放爆性能を確保するために、大型の安全弁や多数の安全弁を設けた場合、コストが掛かり、メンテナンスも大変であった。
そこで、経済的でかつ放爆性能を阻害することが無いコンクリート側壁を有する固定屋根式タンクの屋根の保護対策技術が求められている。
【課題を解決するための手段】
【００１０】
本発明は、コンクリート製の側壁を備えた鋼製のタンクにおいて、前記タンクの内槽の底板中心に立設し、該底板上面から屋根板上方までの高さを有する支柱と、前記側壁の上部の同一円周ほぼ等間隔に離隔して取付ける複数の索条取付部材と、前記索条取付部材から前記支柱の上部及び又は他の前記索条取付部材間に亘り張設する複数本の索条と、前記索条相互間に配設する衝撃吸収能力を有する防護面とを備え、前記コンクリート製の側壁より上部に突出する前記鋼製の内槽の上部を飛来物から防護することを特徴とするタンク用屋根防護構造を提供する。
【００１１】
また、本発明の前記索条は、平面視が前記支柱を中心として放射状に張設する複数本の放射索条と、隣り合う前記放射索条相互間に張設する複数の副索条からなり、前記放射索条と前記副索条で囲まれる領域に衝撃吸収能力を有する防護面を備えたことを特徴とする前記のタンク用屋根防護構造を提供する。
【００１２】
本発明はさらに、前記索条は、平面視が縦横の格子状に張設する複数本の格子索条と、隣り合う前記格子索条相互間に張設する複数の副索条からなり、前記格子索条と前記副索条で格子状に囲まれる領域に衝撃吸収能力を有する防護面を備えたことを特徴とする前記のタンク用屋根防護構造を提供する。
【００１３】
本発明はさらに、前記索条は、タンク半径方向外方側に向けて下方に傾斜して取付けるか、或いはタンク半径方向外方側に向けて水平に取付けることを特徴とする前記のタンク用屋根防護構造を提供する。
【００１４】
本発明はさらに、隣り合う前記索条取付部材相互間に水平に張設する複数本の外周索条と、平行して隣り合う前記外周索条相互間に連結する複数の副索条からなり、前記外周索条と前記副索条で囲まれる領域に衝撃吸収能力を有する防護面を備えたことを特徴とする前記のタンク用屋根防護構造を提供する。
【００１５】
本発明はさらに、前記索条取付部材下部と前記側壁頂部との間に、圧縮復元性を有する緩衝部材を有することを特徴とする前記のタンク用屋根防護構造を提供する。
【００１６】
本発明はさらに、前記防護面が金網であることを特徴とする前記のタンク用屋根防護構造を提供する。
【発明の効果】
【００１７】
本発明のタンク用屋根防護構造は、コンクリート側壁を備えた鋼製タンクの屋根板を台風や竜巻等の自然現象による不測の飛来物の衝突から防護することが可能なタンク用屋根防護構造である。
【図面の簡単な説明】
【００１８】
【図１】タンク用屋根防護構造９の第１事例の説明図である。
【図２】タンク用屋根防護構造９の第２事例の説明図である。
【図３】索条取付部材８に索条１７、２２を取付ける事例を示す説明図である。
【図４】支柱１１の詳細構造の事例を示す説明図である。
【図５】索条１７、２２と副索条１４とで囲まれる領域に金網１０を設ける構造の事例を示す説明図である。
【発明を実施するための形態】
【００１９】
本発明に係るタンク用屋根防護構造の実施形態例について図１から図５を参照しながら説明する。なお、本発明は下記の実施形態にのみ限定されるものではない。本発明の要旨を逸脱しない範囲で下記の構成要素の省略または付加、構成要素の形状等の実施形態の変更を加えることが出来るのはもちろんである。また、図は概略を示すもので、一部のみを描き詳細構造は省略した。
【００２０】
図１は、本発明に係るタンク用屋根防護構造９を有するコンクリート製の側壁３ｂを備えた固定屋根式の鋼製タンク１の第１事例であって、左側は断面を、右側は一部透視部分（点線）を含む外側面図である。１はタンク、２は地盤、３は外槽、４は内槽、５は貯蔵液を示す。
前記タンク１は、金属製の内槽４と該内槽４を囲繞して配設されるコンクリート製の外槽３とを備えた構造である。
前記外槽３は、前記コンクリート製の底版３ａと、前記内槽４の側板４ｂを囲繞するプレストレストコンクリート製の側壁３ｂとからなる構造である。
前記内槽４は、地盤２上に打設したコンクリート製の底版３ａ上に設置され、金属製の底板４ａと、該底板４ａ上に立設した筒体状の金属製の側板４ｂと、該側板４ｂの上端縁に接続して上部を被覆する金属製の屋根板６とからなる構造であり、側板４ｂ頂部には、トップアングル７が設置されている。
内槽４の貯蔵液５が石油等の可燃性危険物の場合、内槽４の側板４ｂ上部と屋根板６外周縁の溶接接合部は、火災等により内槽４内部の圧力が異常に昇圧した際に、前記屋根板６の溶接接合部が破断し、当該破断部から内槽４外へ圧力が放出される放爆構造６Ａとなっている。
【００２１】
前記内槽４は、前記屋根板６の上方の全体又は大部分を覆い、竜巻や台風で飛散した飛来物の衝突から前記屋根板６を防護するタンク用屋根防護構造９を備えている。
前記タンク用屋根防護構造９は、コンクリート製の側壁３ｂを備えた鋼製のタンク１において、前記タンク１の内槽４の底板４ａ中心に立設し、該底板４ａ上面から屋根板６上方までの高さを有する支柱１１と、前記側壁３ｂの上部の同一円周ほぼ等間隔に離隔して取付ける複数の索条取付部材８と、前記索条取付部材８から前記支柱１１の上部１２及び又は他の前記索条取付部材８間に亘り張設する複数本の索条１７と、前記索条１７、１７相互間に配設する衝撃吸収能力を有する防護面９ａとを備え、前記コンクリート製の側壁３ｂより上部に突出する前記鋼製の内槽４の上部を飛来物から防護する。
【００２２】
前記索条１７は、平面視が前記支柱１１を中心として放射状に張設する複数本の放射索条１７ａと、隣り合う前記放射索条１７ａ相互間に張設する複数の副索条１４ａからなり、前記放射索条１７ａと前記副索条１４ａで囲まれる領域に衝撃吸収能力を有する防護面９ａを備える。
また、前記タンク１の外周方向において隣り合う各々の前記索条取付部材８、８相互間に防護面９ｃを設置する。
【００２３】
図１の事例では、底板４ａ中心から屋根板６上方に向かって支柱１１を立設し、該支柱１１の上部１２に設けた頂板１２ａ等から放射状に複数のワイヤーやロープ等からなる放射索条１７ａを、コンクリート製の側壁３ｂ上面に立設した索条取付部材８の上部に設けた取付孔１６に通した取付部材２６を介して連結し、均等に分散させて張設している。取付部材２６は、図３に示すようなシャックル等を使用する。
前記索条取付部材８は、平板や角材、円柱等の形状とし、側壁３ｂ上部にアンカーボルト２０等で固定し、不測の飛来物が索条取付部材８に衝突した際に外れない構造とする。
上記取付構造は一例であり、例えば、前記側壁３ｂに前記索条１７を取付ける環や半円形状の索条取付部材８を直接取付ける構造としても良い。また、索条取付部材８に索条１７の一端を直接巻き付けて固定する構造としても良い。
【００２４】
図２は、本発明に係るタンク用屋根防護構造を有するコンクリート製の側壁３ｂを備えた固定屋根式の鋼製タンク１の第２事例であって、左側は断面を、右側は一部透視部分（点線）を含む外側面図である。以下、図１と同じ構成については説明を省略する。
前記索条１７は、平面視が縦横の格子状に張設する複数本の格子索条１７ｂと、隣り合う前記格子索条１７ｂ相互間に張設する複数の副索条１４ｂからなり、前記格子索条１７ｂと前記副索条１４ｂで格子状に囲まれる領域に衝撃吸収能力を有する防護面９ａを備える。
【００２５】
前記索条１７は、図１のようにタンク半径方向外方側に向けて下方に傾斜して取付けるか、或いは図２のようにタンク半径方向外方側に向けて水平に取付ける。
図１の場合は、支柱１１の放射索条１７ａ取付部の高さが、前記索条取付部材８の放射索条１７ａ取付部の高さよりも高くなるように設計する。
また、図２の場合は、支柱１１の放射索条１７ａ取付部の高さが、前記索条取付部材８の放射索条１７ａ取付部の高さと同じになるように設計する。
【００２６】
また、図２のタンク用屋根防護構造９は、隣り合う前記索条取付部材８相互間に水平に張設する複数本の外周索条２２と、平行して隣り合う前記外周索条２２相互間に連結する複数の副索条１４ｃからなり、前記外周索条２２と前記副索条１４ｃで囲まれる領域に衝撃吸収能力を有する防護面９ｂを備える。
【００２７】
前記索条取付部材８は、上端部に取付孔１６ａを有し、該取付孔１６ａに取付部材２６ａを取付け、当該取付部材２６ａに索条１７を取付ける。
また、前記取付孔１６ａ近傍に取付孔１６ｂを有し、該取付孔１６ｂに取付部材２６ｂを取付け、当該取付部材２６ｂに上部の外周索条２２ａの一端を取付ける。
さらに、前記索条取付部材８は、前記取付孔１６ｂの下方に取付孔１６ｃを有し、該取付孔１６ｃに取付部材２６ｃを取付け、当該取付部材２６ｃに下部の外周索条２２ｂの一端を取付ける。
取付部材２６は、図３に示すようなシャックル等を使用する。
なお、前記外周索条２２は、索条取付部材８の高さ方向における上下部だけでなく、複数段設けても良い。
【００２８】
本発明のタンク用屋根防護構造９は、前記防護面９ａ、９ｂ、９ｃとして金網１０ａ、１０ｂ、１０ｃを使用する金網構造体１０とする。
該金網構造体１０に使用する金網１０ａ、１０ｂ、１０ｃは、飛来物の衝撃に耐え得る変形性能を有するものとする。
なお、前記防護面９ａ、９ｂ、９ｃは、金網１０ａ、１０ｂ、１０ｃ以外にも、例えば、ハニカムプレート、パンチングメタル、エキスパンドメタル等の軽量で強度を有す部材を採用することが可能である。
【００２９】
屋根板６上面に前記タンク用屋根防護構造９を設置することにより、台風や竜巻により不測の飛来物が内槽４の屋根板６に向かって飛来してきた場合に、該飛来物による衝撃力を前記タンク用屋根防護構造９にて吸収し、該タンク１の屋根板６を含むコンクリート製側壁より上部に突出する前記鋼製の内槽４の上部に直接大きな衝撃力が加わることを防止することができる。
タンク用屋根防護構造９を金網や索条等の比較的軽量な部材を用いて構成し、タンク用屋根防護構造９の荷重を屋根板６で負担することなく、コンクリート製の側壁３ｂで安定して支持できるため、屋根板６や側板４ｂの板厚を厚くする必要がない。
また、内槽４内の圧力が急激に上昇する異常時において、前記タンク用屋根防護構造９と前記屋根板６との間に十分な空間Ｓを有しているため、放爆性能を阻害することなく、危険物を貯蔵する内槽４の爆発的破壊を防止することができる。
【００３０】
図３は、索条取付部材８の取付孔１６に取付部材２６を取付け、当該取付部材２６に索条１７、２２を取付ける事例を示す説明図である。（ａ）は図１のＡ部の拡大図で、（ｂ）は図２のＢ部の拡大図である。
（ａ）の事例では、底板４ａの中心から屋根板６上方に向かって支柱１１を立設し、該支柱１１の上部１２に設けた頂板１２ａ等から放射状に傾斜して張設する複数のワイヤーやロープ等からなる放射索条１７ａの一端を、コンクリート製の側壁３ｂ上面に立設した索条取付部材８上端部の取付孔１６ａに通した取付部材２６ａに取付ける。
（ｂ）の事例では、前記支柱１１の上部１２に設けた頂板１２ａ等から格子状に水平に張設する複数のワイヤーやロープ等からなる格子索条１７ｂの一端を、前記索条取付部材８上端部の取付孔１６ａに通した取付部材２６ａに取付ける。
また、前記索条取付部材８の上部と下部に取付孔１６ｂと取付孔１６ｃを設け、該取付孔１６ｂと取付孔１６ｃにそれぞれ取付部材２６ｂ、２６ｃを取付け、当該取付部材２６ｂ、２６ｃにそれぞれ上部の外周索条２２ａ、下部の外周索条２２ｂを取付ける。
前記放射索条１７ａ、格子索条１７ｂ、外周索条２２は、取付部材２６に挿通した後、折り返した先が２本揃えられて締結部材１３で締結される。
取付部材２６は、図３に示すようなシャックル等を使用する。
なお前記索条取付部材８は、図３に示すようなＨ形鋼やＣ形鋼等で形成する。
【００３１】
図３の事例では、前記索条取付部材８下部と前記側壁３ｂ上面との間に、圧縮復元性を有する緩衝部材８ａを有することを特徴とする。
前記側壁３ｂ上面と索条取付部材８下部との接合部に圧縮復元性を有する緩衝部材８ａを介装し、該緩衝部材８ａを索条取付部材８下部に取付けた押さえ板１９で押さえる構造とし、該押さえ板１９をアンカーボルト２０とナット２１で側壁３ｂ上面と着脱自在に固定するとともに、緩衝部材８ａを側壁３ｂ上面に密接させて固定する。
また、必要に応じて、前記押さえ板１９ａ上表面と前記索条取付部材８側面間に、リブ板２７を設け、溶接で固定する。
緩衝部材８ａは、難燃性ウレタンフォーム等の連続発泡体で構成する。
【００３２】
側壁３ｂと索条取付部材８相互の接合部に衝突荷重を軽減する緩衝部材８ａを介装した構造とすることにより、接合部に作用する前記衝突荷重を当該緩衝部材８ａで吸収し、地上式タンク１の側壁３ｂや屋根板６を確実に防護することが可能である。
また、側壁３ｂと索条取付部材８相互の接合部をアンカーボルト２０とナット２１等で着脱自在構造とすることにより、タンク用屋根防護構造９を側壁３ｂから取り外し、タンク１の側壁３ｂや屋根板６等のメンテナンスを容易に行うことができる。
【００３３】
図４は、図１又は図２のＣ部の拡大図で、支柱１１の詳細構造の事例を示す説明図である。
前記支柱１１は、前記屋根板６上部に設けたクラウンプレート２５を貫通して設け、前記屋根板６上方までの高さを有し、該支柱１１の上部１２に設けた頂板１２ａとを備える。該頂板１２ａは、同一円周に複数の索条取付孔１２ａ１を有している。この索条取付孔１２ａ１に取付部材２６ａを挿通し、該取付部材２６ａに放射索条１７ａを挿通した後、折り返した先が２本揃えられて締結部材１３ａで締結される。
取付部材２６ａは、図４に示すようなシャックル等を使用する。
【００３４】
前記クラウンプレート２５の下方で、かつ前記支柱１１の半径方向外側面にリブプレート２３を溶接等で固定し、該リブプレート２３と屋根板６裏面の屋根骨２４をガセットプレート２８を介してボルト・ナット２９で係合する。
上記支柱１１の構造は事例であり、様々な構造を採用することが可能である。
【００３５】
底板４ａの上面に立設する支柱１１上にタンク用屋根防護構造９を設置することにより、該タンク用屋根防護構造９の荷重を屋根板６で負担することがなく、該屋根板６を支持する側板４ｂ等の板厚を厚くする必要がない。
台風や竜巻により不測の飛来物がタンク１の屋根板６に向かって飛来してきた場合に、該飛来物による衝撃力を支柱１１を介して基礎２と底板４ａで負担するため、屋根板６に直接大きな衝撃力が加わることを防止することができる。
【００３６】
図５は、（ａ）放射索条１７ａ、１７ａ相互間、（ｂ）外周索条２２ａ、２２ｂ相互間に副索条１４を取付け、該副索条１４に金網１０ａ又は１０ｂを連結する構造の事例を示す斜視図である。
（ａ）の副索条１４ａは、隣り合う前記放射索条１７ａと放射索条１７ａ間に複数本張設する。
また、隣り合う前記格子索条１７ｂと格子索条１７ｂ間に張設する複数の副索条１４ｂを張設する場合も同様とする。
（ｂ）の副索条１４ｃは、上下方向において隣り合う上部の外周索条２２ａと下部の外周索条２２ｂ間に複数本張設する。
前記副索条１４は、各両端部を前記索条１７又は２２に巻き回して折り返した後、折り返した先が２本揃えられて締結部材１３で締結される。
前記副索条１４は、飛来物の衝突から屋根板６を防護できるように、ワイヤーや針金材等の強度部材で形成する。なお、前記索条１７又は２２と副索条１４の素材は同じものでも良い。
前記副索条１４と金網１０ａ、１０ｂは、コイル状の連結部材１８等で連結される。
【００３７】
前記副索条１４、連結部材１８等の構造は、前記構造に限定されるものではない。
前記副索条１４の両端部にリング状部材を設け、該リング状部材に前記索条１７又は２２を挿通した後、索条１７又は２２の一端を索条取付部材８に固定する構造としても良い。
また、前記リング状部材の一部に切り欠き部を設け、該切り欠き部から索条１７、２２を前記リング状部材の中に挿通した後、切り欠き部を溶接等で固定する構造としても良い。
さらに、前記連結部材１８は、コイル状ではなく、リング状や鉤状等の連結部材１８としても良い。
【００３８】
タンク用屋根防護構造９をこのような構造とすることにより、内槽４の屋根板６に向かって飛来物が衝突した場合に、前記屋根板６上方に張設する索条１７、１７相互間に取付ける副索条１４ａと金網１０ａとで衝撃力を吸収するため、屋根板６に伝わる衝撃を緩和し、屋根板６が飛来物の衝突によって破壊することを防止することが可能である。
また、コンクリート製の側壁３ｂで囲繞されていない側板４ｂ上部の外周部に張設する外周索条２２、２２相互間に取付ける副索条１４ｃと金網１０ｂとで衝撃力を吸収するため、前記側板４ｂ上部に伝わる衝撃を緩和し、側板４ｂ上部が飛来物の衝突によって破壊することを防止することが可能である。
タンク用屋根防護構造９を索条や金網等の比較的軽量な部材で構成することにより、索条や金網をタンク１から取り外し、屋根板６等のメンテナンスを容易に行うことができる。かつ、放射索条１７ａ又は格子索条１７ｂを張設する高さを調整し、屋根板６上面からタンク用屋根防護構造９までの離隔距離を確保することが容易で、屋根部の放爆性能を確保することができる。
【００３９】
なお、金網１０ａの下に衝撃吸収部材１５（図示しない）を設ける構造としても良い。
前記金網１０ａの下にさらに衝撃吸収部材１５を設置することにより、前記屋根板６に向かって飛来物が飛来した場合に、前記金網１０ａや副索条１４とともに、前記衝撃吸収部材１５が衝撃を吸収するため、衝撃吸収性能が向上し、屋根板６に伝わる衝撃をさらに緩和し、屋根板６が飛来物の衝撃によって変形することをより確実に防止することが可能である。
前記衝撃吸収部材１５としては、ばねやエアバッグ等を使用する。
【００４０】
本発明のタンク用屋根防護構造は、コンクリート製の側壁を備えた固定屋根式の鋼製タンクだけでなく、コンクリート製の側壁を有する種々のタンク、その他の構造物の屋根構造に幅広く使用することが可能である。
また前記屋根構造は、新設、既設の構造物を問わず採用することが可能である。
【符号の説明】
【００４１】
１  タンク      
２  地盤
３  （コンクリート製の）外槽
３ａ  底版
３ｂ  側壁
４  （金属製の）内槽
４ａ  底板
４ｂ  側板
５  貯蔵液
６  屋根板
７  トップアングル
８  索条取付部材
８ａ  緩衝部材
９  タンク用屋根防護構造
９ａ、９ｂ、９ｃ  防護面
１０  金網構造体
１０ａ、１０ｂ、１０ｃ  金網
１１  支柱
１２  支柱上部
１２ａ  頂板
１２ａ１  索条取付孔
１３ａ、１３ｂ、１３ｃ  締結部材
１４ａ、１４ｂ、１４ｃ  副索条
１５  衝撃吸収部材
１６ａ、１６ｂ、１６ｃ  取付孔
１７  索条
１７ａ  放射索条
１７ｂ  格子索条
１８  連結部材
１８ａ  コイル状の連結部材
１９  押さえ板
２０  アンカーボルト
２１  ナット
２２  外周索条
２２ａ  上部の外周索条
２２ｂ  下部の外周索条
２３  リブプレート
２４  屋根骨
２５  クラウンプレート
２６ａ、２６ｂ、２６ｃ  取付部材
２７  リブ板
２８  ガセットプレート
２９  ボルト・ナット
Ｓ  空間
６Ａ  放爆構造
【図１】
2020090800.tif 000003
【図２】
2020090800.tif 000004
【図３】
2020090800.tif 000005
【図４】
2020090800.tif 000006
【図５】
2020090800.tif 000007